(57)【要約】シャワーヘッドのハウジング内に配置されて、吐水口がシャワーヘッドの吐水ディスクに対向している吐水制御機構であって、内側シールケースと外側シールケースを含み、内側シールケースと外側シールケースとの間に中間キャビティを形成するとともに、外側シールケースと吐水ディスクとの間に吐水キャビティを形成し、中間キャビティがシャワーヘッドの給水通路に連通され、さらに、中間キャビティ内に配置される、一面が前記外側シールケースの吐水口に接触するとともに、他面が弁板に接触する仕切パッキングを含み、中間キャビティは仕切パッキングの内側にある内キャビティと、仕切パッキングの外側にある外キャビティとを含み、内キャビティは第１ピンホールを介して吐水キャビティに連通されるとともに、貫通穴を介して外キャビティに連通されて、給水通路が外キャビティに連通され、ピンホールが可動パッキングに嵌合されて、パッキングとピンホールとの接離制御をするためのボタンユニットに可動パッキングが連結されるシャワーヘッドの吐水制御機構を提供する。本発明によれば、様々な吐水パターンが実現されるとともに、切替操作が簡単で、使用寿命が長くなる。
2009523599.tif 000002
【特許請求の範囲】
【請求項１】
シャワーヘッドのハウジング内に配置されて、吐水口がシャワーヘッドの吐水ディスクに対向している吐水制御機構であって、
内側シールケースと外側シールケースを含み、前記内側シールケースと外側シールケースとの間に中間キャビティを形成するとともに、前記外側シールケースと吐水ディスクとの間に吐水キャビティを形成し、前記中間キャビティがシャワーヘッドの給水通路に連通され、
さらに、中間キャビティ内に配置され、かつ一面が前記外側シールケースの吐水口に接触するとともに、他面が弁板に接触する仕切パッキングを含み、前記中間キャビティは仕切パッキングの内側にある内キャビティと、仕切パッキングの外側にある外キャビティとを含み、前記内キャビティは第１ピンホールを介して吐水キャビティに連通されるとともに、貫通穴を介して外キャビティに連通されて、前記給水通路が外キャビティに連通され、前記ピンホールが可動パッキングに嵌合されて、パッキングとピンホールとの接離制御をするためのボタンユニットに前記可動パッキングが連結されることを特徴とするシャワーヘッドの吐水制御機構。
【請求項２】
前記弁板は第１弁板と第２弁板とを、前記内キャビティは互いに隔離された第１内キャビティと第２内キャビティとを、前記吐水キャビティは互いに隔離された第１吐水キャビティと第２吐水キャビティとを含み、前記第１吐水キャビティが吐水ディスクの第１吐水口に連通されるとともに、前記第２吐水キャビティが吐水ディスクの第２吐水口に連通され、
前記第１内キャビティは第１ピンホールを介して第１吐水キャビティに連通されるとともに、貫通穴を介して外キャビティに連通され、前記第１ピンホールが第１可動パッキングに嵌合されて、パッキングとピンホールとの接離制御をするための第１ボタンユニットに前記第１可動パッキングが連結され、
前記第２内キャビティは第２ピンホールを介して第２吐水キャビティに連通されるとともに、貫通穴を介して外キャビティに連通され、前記第２ピンホールが第２可動パッキングに嵌合されて、パッキングとピンホールとの接離制御をするための第２ボタンユニットに前記第２可動パッキングが連結されていることを特徴とする請求項１に記載のシャワーヘッドの吐水制御機構。
【請求項３】
前記ボタンユニットは、可動パッキングに固着されて内側シールケースのスライド溝に対して移動可能に嵌合される従動マグネットと、前記従動マグネットとスライド溝の底部との間に当接されるバネと、前記従動マグネットに嵌合される駆動マグネットとを含み、
前記ハウジングにはマグネットスライドウェイが設けられ、前記スライドウェイは前記内側シールケースの外側にあり、その内部には、前記シャワーヘッドのスイッチポジションに連結される前記駆動マグネットが配置されていることを特徴とする請求項１に記載のシャワーヘッドの吐水制御機構。
【請求項４】
前記第１ボタンユニットは、第１可動パッキングに固着されて内側シールケースの第１スライド溝に移動可能に嵌着される第１従動マグネットと、第１従動マグネットと第１スライド溝の底部との間に当接される第１バネと、前記第１従動マグネットに嵌合される駆動マグネットとを含み、
前記第２ボタンユニットは、第２可動パッキングに固着されて内側シールケースの第２スライド溝に移動可能に嵌合される第２従動マグネットと、第２従動マグネットと第２スライド溝の底部との間に当接される第２バネとを含み、前記第２従動マグネットに前記駆動マグネットが嵌合されており、
前記ハウジングにはマグネットスライドウェイが設けられ、前記スライドウェイは前記内側シールケースの外側にあり、その内部には、前記シャワーヘッドのスイッチポジショ
ンに連結される前記駆動マグネットが配置されており、前記スイッチポジションはオフポジション、駆動マグネットと第１従動マグネットとを対向させるための第１ポジション、駆動マグネットと第２従動マグネットとを対向させるための第２ポジションを含むことを特徴とする請求項２に記載のシャワーヘッドの吐水制御機構。
【発明の詳細な説明】
【技術分野】
【０００１】
本発明はシャワーヘッドの吐水制御機構に関するものである。
【背景技術】
【０００２】
従来のシャワーヘッドの吐水制御機構は、両手を同時に使用してシャワーヘッドの頭部が回動操作し、色々な吐水パターンに変化される。このように、両手を同時に使用するため、操作性が悪く、使用寿命が短い。
【０００３】
「多機能シャワーヘッド」と題する特許文献１は、給水の水流経路がモードセレクターを介して複数の吐水経路が連通され、水の流れがガイドされるシャワーヘッドが開示されている。この発明は、複数のモード通路、モード出力穴及び弁ユニット、複数のカムシャフトによりコントロールされる弁アームによって、様々なシャワーモードに切替え可能になっている。しかし、この場合、水圧がキャビティに配置した制御ユニットに直接にかかるため、シャワーヘッドの使用寿命に好ましくない影響が与えられ、さらに構造が複雑となり、製造コストの高騰を招来して、その普及が困難なものとなっている。
【０００４】
従来の技術では、開閉弁が水と隔離されておらず、耐水圧力が低く、使用寿命が短いという欠点があるとともに、モード調整などによって様々な吐水パターンを実現する際、力がかかり、操作不便である。
【発明の開示】
【発明が解決しようとする課題】
【０００５】
本発明は、従来のシャワーヘッドの操作性、使用寿命における問題点を解消するためになされたものであり、その目的は、簡単な片手操作で様々な吐水パターンが可能であり、さらには操作に力を要することなく、かつ使用寿命が長いシャワーヘッドの吐水制御機構を提供することにある。
【課題を解決するための手段】
【０００６】
本発明は上記した目的を達成するために、シャワーヘッドのハウジング内に配置されて、吐水口がシャワーヘッドの吐水ディスクに対向している吐水制御機構を提供する。吐水制御機構は更に内側シールケースと外側シールケースを含み、内側シールケースと外側シールケースとの間に中間キャビティを形成するとともに、前記外側シールケースと吐水ディスクとの間に吐水キャビティを形成する。前記中間キャビティがシャワーヘッドの給水通路に連通され、さらに、中間キャビティ内に配置され、かつ一面が前記外側シールケースの吐水口に接触するとともに、他面が弁板に接触する仕切パッキングを含む。前記中間キャビティは仕切パッキングの内側にある内キャビティと、仕切パッキングの外側にある外キャビティとを含む。前記内キャビティは第１ピンホールを介して吐水キャビティに連通されるとともに、貫通穴を介して外キャビティに連通される。前記給水通路は外キャビティに連通され、ピンホールは可動パッキングに嵌合されて、パッキングとピンホールとの接離制御をするためのボタンユニットに可動パッキングが連結される。
【０００７】
また、前記弁板は第１弁板と第２弁板とを有する。前記内キャビティは互いに隔離された第１内キャビティと第２内キャビティとを有する。前記吐水キャビティは互いに隔離された第１吐水キャビティと第２吐水キャビティとを有する。前記第１吐水キャビティは吐水ディスクの第１吐水口に連通されるとともに、前記第２吐水キャビティが吐水ディスクの第２吐水口に連通されている。
【０００８】
前記第１内キャビティは第１ピンホールを介して第１吐水キャビティに連通されるとともに、貫通穴を介して外キャビティに連通されている。前記第１ピンホールは第１可動パッキングに嵌合されて、パッキングとピンホールとの接離制御をするための第１ボタンユニットに第１可動パッキングが連結されている。
【０００９】
前記第２内キャビティは第２ピンホールを介して第２吐水キャビティに連通されるとともに、貫通穴を介して外キャビティに連通されている。前記第２ピンホールは第２可動パッキングに嵌合されて、パッキングとピンホールとの接離制御をするための第２ボタンユニットに前記第２可動パッキングが連結されている。
【００１０】
さらに、前記ボタンユニットは、可動パッキングに固着されて内側シールケースのスライド溝に移動可能に嵌着される従動マグネットと、前記従動マグネットとスライド溝の底部との間に当接されるバネと、前記従動マグネットに嵌合される駆動マグネットとを含み、
前記ハウジングにはマグネットスライドウェイが設けられている。このスライドウェイは内側シールケースの外側にあり、その内部には、シャワーヘッドのスイッチポジションに連結される駆動マグネットが配置されている。
【００１１】
なお、前記第１ボタンユニットは、第１可動パッキングに固着されて内側シールケースの第１スライド溝に移動可能に嵌着される第１従動マグネットと、第１従動マグネットと第１スライド溝の底部との間に当接される第１バネと、前記第１従動マグネットに嵌合される駆動マグネットとを含む。
【００１２】
前記第２ボタンユニットは、第２可動パッキングに固着されて内側シールケースの第２スライド溝に移動可能に嵌着される第２従動マグネットと、第２従動マグネットと第２スライド溝の底部との間に当接される第２バネとを含む。、前記第２従動マグネットに前記駆動マグネットが嵌合されている。
【００１３】
前記ハウジングにはマグネットスライドウェイが設けられている。このスライドウェイは内側シールケースの外側にあり、その内部には、シャワーヘッドのスイッチポジションに連結される駆動マグネットが配置されている。前記スイッチポジションはオフポジション、駆動マグネットと第１従動マグネットとを対向させるための第１ポジション、駆動マグネットと第２従動マグネットとを対向させるための第２ポジションの間にて切り替え操作される。
【００１４】
内側キャビティをN個のキャビティに分けてから、N個のボタンユニットを設置すれば、N種類の吐水パターンを実現することができ、また、各種の吐水パターンの組み合わせに
より、より多くの吐水パターンの複合効果が得られる。
【発明の効果】
【００１５】
本発明によれば、下記のような有用な効果が得られる。
１．様々な吐水パターンを実現できる。
２．切替制御機構と内部装置および水とが完全に隔離されるので、耐水圧力が明らかに向上され、それに応じて、使用寿命も延長される。
【００１６】
３．様々な吐水パターンの切替にあたって、力を要することなく、かつ簡単な片手操作にて対応できるとともに、自動的にリセットできることで、操作の更なる便利性をもたらす。
【００１７】
４．強力なマグネット部品を使用することによって、水が磁気化される効果があり健康
に有利である。
【発明を実施するための最良の形態】
【００１８】
以下、本発明の実施の形態について図面を参照しながら説明する。
図１乃至４を参照すると、シャワーヘッドのハウジング１内に配置されて、吐水口がシャワーヘッドの吐水ディスク２に対向している。内側シールケース３と外側シールケース４との間には中間キャビティ５が形成されている。前記外側シールケース４と吐水ディスク２との間には吐水キャビティが形成されている。前記中間キャビティ５はシャワーヘッドの給水通路６に連通されている。さらに、中間キャビティ５内に配置される仕切パッキング７は一面が外側シールケース４の吐水口に接触するとともに、他面が弁板に接触している。中間キャビティ５は仕切パッキングの内側にある内キャビティと、仕切パッキングの外側にある外キャビティ８とを有する。前記内キャビティはピンホールを介して吐水キャビティに連通されるとともに、貫通穴９を介して外キャビティ８に連通され、さらには給水通路６が外キャビティ８に連通されている。ピンホールは可動パッキングに嵌合されて、パッキングとピンホールとの接離制御をするためのボタンユニットに可動パッキングが連結されている。
【００１９】
前記弁板は第１弁板１０と第２弁板１１とを有する。前記内キャビティは互いに隔離された第１内キャビティ１２と第２内キャビティ１３とを有する。前記吐水キャビティは互いに隔離された第１吐水キャビティ１４と第２吐水キャビティ１５とを有する。前記第１吐水キャビティ１４が吐水ディスク２の第１吐水口１６に連通されるとともに、第２吐水キャビティ１５が吐水ディスク２の第２吐水口１７に連通されている。第１内キャビティ１２は第１ピンホール１８を介して第１吐水キャビティ１４に連通されるとともに、貫通穴９を介して外キャビティ８に連通されている。第１ピンホール１８が第１可動パッキング１９に嵌合されて、第１可動パッキング１９と第１ピンホール１８との接離制御をするための第１ボタンユニットに前記第１可動パッキング１９が連結されている。前記第２内キャビティ１３は、第２ピンホール２０を介して第２吐水キャビティ１５に連通されるとともに、貫通穴９を介して外キャビティ８に連通されている。前記第２ピンポール２０が第２可動パッキング２１に嵌合されて、パッキング２１と第２ピンホール２０との接離制御をするための第２ボタンユニットに第２可動パッキング２１が連結されている。
【００２０】
前記第１ボタンユニットは、第１可動パッキング１９に固着されて、内側シールケース３の第１スライド溝２５に移動可能に嵌着される第１従動マグネット２２と、前記第１従動マグネット２２と第１スライド溝２５の底部との間に当接される第１バネ２３と、前記第１従動マグネット２２に嵌合される駆動マグネット２４とを含む。前記第２ボタンユニットは、第２可動パッキング２１に固着されて内側シールケース３の第２スライド溝２８に移動可能に嵌着される第２従動マグネット２６と、第２従動マグネット２６と第２スライド溝２８の底部との間に当接される第２バネ２７とを含み、前記第２従動マグネット２６に前記駆動マグネット２４が嵌合されている。なお、前記ハウジングにはマグネットスライドウェイ２９が設けられている。このマグネットスライドウェイ２９は内側シールケース３の外側にあり、その内部には前記シャワーヘッドのスイッチポジション３０に連結される駆動マグネット２４が配置されている。前記スイッチポジション３０は、オフポジション、駆動マグネット２４と第１従動マグネット２２とを対向させるための第１ポジションと、駆動マグネット２４と第２従動マグネット２６とを対向させるための第２ポジションとを含む。ただし、前記パッキングはゴムパッキングとする。
【００２１】
本実施例における動作として、吐水工程と止水工程を含む。
吐水工程において、水が給水通路６から外キャビティ８に入り、貫通穴９を介して第１内キャビティ１２に流れるが、駆動マグネット２４が第１従動マグネット２２の端面に移行される場合、二つのマグネットの間に吸引力が発生することで、第１可動パッキング１
９が移動されるとともに、第１ピンホール１８が開かれ、第１内キャビティ１２の中の水が、第１ピンホール１８より流出されることにより、第１内キャビティ１２の中の水圧が低減される。その水圧が外キャビティ８の中の水圧より低くなると、外キャビティ８の中の水により仕切ゴムパッキング７が突き上げられ、水が仕切ゴムパッキング７と外側シールケース４の吐水口との間の隙間を介して第１吐水キャビティ１４に流れ込み、さらに吐水ディスク２の第１吐水口１６から流出される。
【００２２】
止水工程において、駆動マグネット２４が第１従動マグネット２２の端面から離れる場合、第１従動マグネット２２における吸引力が消滅し、第１バネ２３の付勢力により第１可動パッキング１９が移動されるとともに、第１ピンホール１９が塞がれる。これにより、第１内キャビティ１２の中の水が流出されないとともに、貫通穴９から水が絶えず流れ込まれるので、第１内キャビティ１２の中の水圧が急激に上昇して、その水圧が外キャビティ８の中の圧力とほぼ同一になる。第１バネ２３の付勢力と第１吐水キャビティ１４の吐水口で発生した水流の毛細管作用の相乗作用によって、第１弁板１０および仕切ゴムパッキング７が移動され、外側シールケース４の吐水口が塞がれることで、水が流出されないようになる。
【００２３】
なお、駆動マグネット２４が第２従動マグネット２６の端面に移動される場合も、上述した吐水工程に記載された動作が発生し、水が第２吐水キャビティ１５における第２吐水口１７から流出されることで、他の吐水パターンが実現される。また、駆動マグネット２４が第２従動マグネット２６の端面から離間する場合も、上述した止水工程に記載された動作が発生する。このように、ハウジング１に第３従動マグネットおよび他のユニットを設置するか、または様々な組み合わせを行うことで、シャワーヘッドにおいて、様々な吐水パターンを実現することができる。
【図面の簡単な説明】
【００２４】
【図１】シャワーヘッドの吐水制御機構を示す分解斜視図。
【図２】シャワーヘッドの正面図。
【図３】図２のA−A線における断面図。
【図４】図２のD―D線における拡大断面図。
【図１】
2009523599.tif 000003
【図２】
2009523599.tif 000004
【図３】
2009523599.tif 000005
【図４】
2009523599.tif 000006
【国際調査報告】
2009523599.tif 000007
2009523599.tif 000008
2009523599.tif 000009
2009523599.tif 000010
2009523599.tif 000011
2009523599.tif 000012